(57)【要約】【課題】ハウジングに対するシール部材の係止部を保護することが可能な防水コネクタを提供する。【解決手段】前方から相手側コネクタＹが嵌合可能なコネクタ嵌合部１５が設けられたハウジング１０と、前記コネクタ嵌合部１５に装着されて同コネクタ嵌合部１５と前記相手側コネクタＹとの間をシールするシール部材３０と、前記シール部材３０に設けられ、前記ハウジング１０に設けられた係止受け部１９に対して後方から係止する係止部３２と、前記ハウジング１０に設けられ、前記係止部３２の後方を覆うようにして立つ保護壁２４と、を備えている。【選択図】図２
2015187957.tif 000002
【特許請求の範囲】
【請求項１】
前方から相手側コネクタが嵌合可能なコネクタ嵌合部が設けられたハウジングと、
前記コネクタ嵌合部に装着されて同コネクタ嵌合部と前記相手側コネクタとの間を液密状にするシール部材と、
前記シール部材に設けられ、前記ハウジングに設けられた係止受け部に対して後方から係止する係止部と、
前記ハウジングに設けられ、前記係止部の後方を覆うようにして立つ保護壁と、
を備えた防水コネクタ。
【請求項２】
前記ハウジングに、前記相手側コネクタとの嵌合・離脱動作を助勢するレバーが備えられ、
前記レバーは、前記ハウジングの外側面に沿って配されるカム板部を有し、
前記保護壁は、前記カム板部の内側に位置して前記カム板部の内倒れを防ぐ内倒れ防止機構を兼ねている請求項１に記載の防水コネクタ。
【請求項３】
前記ハウジングに、前記ハウジングの後面から導出された電線を保護する電線カバーが備えられ、
前記電線カバーは、前記保護壁に対して前方から係止する係止爪を有し、
前記保護壁は、前記電線カバーのロック機構を兼ねている請求項１または請求項２に記載の防水コネクタ。
【請求項４】
前記電線カバーが、前記保護壁に対して後方から突き当たるストッパ部を有し、
前記保護壁は、前記電線カバーのストッパ機構を兼ねている請求項３に記載の防水コネクタ。
【発明の詳細な説明】
【技術分野】
【０００１】
本発明は、防水コネクタに関する。
【背景技術】
【０００２】
従来、ハウジングに装着されたシール部材が、相手側コネクタとの間に挟まれて、両コネクタ間をシールする防水コネクタが知られている。
例えば下記特許文献１に記載の防水コネクタは、相手側コネクタが内嵌されるフード部の内側にゴムリングが装着されている。ゴムリングは、その後端部に設けられた後端係合片が、フード部の奥壁に設けられた係合孔に係止することで、ハウジングからの抜け出しが防がれている。
【先行技術文献】
【特許文献】
【０００３】
【特許文献１】特開２００２−７５５２１号公報
【発明の概要】
【発明が解決しようとする課題】
【０００４】
しかしながら、上記のような構成では、外側に露出しているゴムリングの後端係合片に外部の異物が接触する虞がある。
【０００５】
本発明は上記のような事情に基づいて完成されたものであって、ハウジングに対するシール部材の係止構造を保護することが可能な防水コネクタを提供することを目的とする。
【課題を解決するための手段】
【０００６】
本発明の防水コネクタは、前方から相手側コネクタが嵌合可能なコネクタ嵌合部が設けられたハウジングと、前記コネクタ嵌合部に装着されて同コネクタ嵌合部と前記相手側コネクタとの間を液密状にするシール部材と、前記シール部材に設けられ、前記ハウジングに設けられた係止受け部に対して後方から係止する係止部と、前記ハウジングに設けられ、前記係止部の後方を覆うようにして立つ保護壁と、を備えたものである。
【発明の効果】
【０００７】
本発明によれば、保護壁によって係止部が覆われるから、ハウジングに対するシール部材の係止構造（係止部）を保護することができる。
【図面の簡単な説明】
【０００８】
【図１】本実施例における防水コネクタを示す平面図
【図２】電線カバーの係止爪が保護壁に係止した状態を示す断面図であって、図１のＡ−Ａ位置における断面に相当する断面図
【図３】電線カバーのストッパ部が保護壁に突き当たった状態および保護壁がレバーのカム板部に近接して配置された状態を示す断面図であって、図１のＢ−Ｂ位置における断面に相当する断面図
【図４】保護壁が内倒れ防止機構、電線カバーのロック機構、および電線カバーのストッパ機構として機能する様子を示す防水コネクタの断面図
【図５】ハウジングを示す平面図
【図６】ハウジングを示す背面図
【図７】シール部材を示す正面図
【図８】レバーを示す正面図
【発明を実施するための形態】
【０００９】
本発明の防水コネクタは、前記ハウジングに、前記相手側コネクタとの嵌合・離脱動作を助勢するレバーが備えられ、前記レバーは、前記ハウジングの外側面に沿って配されるカム板部を有し、前記保護壁は、前記カム板部の内側に位置して前記カム板部の内倒れを防ぐ内倒れ防止機構を兼ねているものとしてもよい。
このような構成によれば、内倒れ防止機構を別途ハウジングに設けなくてもよいから、ハウジングの構造を簡素化することができる。
【００１０】
また、本発明の防水コネクタは、前記ハウジングに、前記ハウジングの後面から導出された電線を保護する電線カバーが備えられ、前記電線カバーは、前記保護壁に対して前方から係止する係止爪を有し、前記保護壁は、前記電線カバーのロック機構を兼ねているものとしてもよい。
このような構成によれば、電線カバーのロック機構を別途ハウジングに設けなくてもよいから、ハウジングの構造を簡素化することができる。
【００１１】
また、本発明の防水コネクタは、前記電線カバーが、前記保護壁に対して後方から突き当たるストッパ部を有し、前記保護壁は、前記電線カバーのストッパ機構を兼ねているものとしてもよい。
このような構成によれば、電線カバーのストッパ機構を別途ハウジングに設けなくてもよいから、ハウジングの構造を簡素化することができる。
【００１２】
＜実施例＞
以下、本発明を具体化した一実施例について、図１〜図８を参照しつつ詳細に説明する。
本実施例における防水コネクタＣは、図３に示すように、前方から相手側コネクタＹが嵌合可能なコネクタ嵌合部１５が設けられたハウジング１０と、コネクタ嵌合部１５に装着されて同コネクタ嵌合部１５と相手側コネクタＹとの間をシールするシール部材３０と、を備えている。防水コネクタＣは、相手側コネクタＹとの嵌合・離脱動作を助勢するレバー４０を備えたレバー式コネクタとされ、また後端部には、ハウジング１０から引き出された電線Ｗを保護する電線カバー５０が取り付けられる。以下、各構成部材において、相手側コネクタＹとの嵌合面側を前方、その反対側を後方とし、また図３の上側を上方、下側を下方として説明する。
【００１３】
ハウジング１０は合成樹脂製であり、内部に複数の端子金具Ｔが収容される端子収容部１１と、この端子収容部１１の外周側を取り囲むようにして設けられた外筒部１２とが一体に形成されたものである。
【００１４】
端子収容部１１は、全体として横長の長方形断面を有するブロック状に形成されており、その内部には、端子金具Ｔが個別に収容可能なキャビティ１３が複数設けられている。各キャビティ１３の後端部には、電線Ｗの端末部に装着された図示しないゴム栓が嵌着され、キャビティ１３の後端部を液密状にシールする。
【００１５】
外筒部１２は、端子収容部１１の後端部に連結され、端子収容部１１と外筒部１２とで囲まれた部分は、図３に示すように、相手側コネクタＹが前方から嵌合可能なコネクタ嵌合部１５とされている。このコネクタ嵌合部１５の奥側（後側）にシール部材３０が装着されている。
【００１６】
コネクタ嵌合部１５の後端部には、後述するシール部材３０の係止部３２が嵌合する係止孔部１６が、前後方向に貫通するとともに外方に開口して形成されている。係止孔部１６は、シール部材３０の係止部３２に対応する位置にそれぞれ設けられている。
【００１７】
外筒部１２のうち係止孔部１６の前側に位置する部分には、内側に突出する内突部１８が設けられている。内突部１８の後端面は、シール部材３０の係止部３２が後方から係止する係止受け部１９とされている。係止受け部１９は、前後方向に対して垂直をなす方向に切り立った面とされている。
ハウジング１０の後面には、各係止孔部１６を覆うようにして複数の保護壁２４が設けられている。保護壁２４については、後ほど詳しく説明する。
【００１８】
ハウジング１０の上側および下側には、後述するレバー４０のカム板部４２が収容されるカム板収容部２１が設けられている（図１参照）。カム板収容部２１には、カム板部４２に設けられた軸孔部４４に嵌合可能な軸部２２が設けられている（図３参照）。軸部２２は円柱形状をなし、カム板収容部２１の内周面に突設されている。軸部２２は、図５に示すように、ハウジング１０の幅方向の略中央に設けられるとともに、ハウジング１０の後端部に位置している。
【００１９】
シール部材３０は、弾性部材（例えばゴム）からなり、筒状をなして端子収容部１１の外周面に密着するシール本体部３１と、シール本体部３１から突出する形状をなしてハウジング１０に係止する係止部３２とを備えている（図２参照）。シール本体部３１は、図７に示すように、横方向に長い長方形状をなし、その内周面および外周面には、複数条のリップ部３３が設けられている。
【００２０】
シール部材３０は、図３に示すように、コネクタ嵌合部１５の後端位置に収容され、防水コネクタＣに相手側コネクタＹを嵌合させると、相手側コネクタＹのフード部Ｈがコネクタ嵌合部１５内に進入し、その先端部がシール部材３０の外周面と外筒部１２の内周面との間に進入する。そして、シール部材３０の内周面および外周面に設けられたリップ部３３が押し潰されてフード部Ｈの内周面および端子収容部１１の外周面に押し付けられる。これにより、防水コネクタＣと相手側コネクタＹとの嵌合部の防水性が保たれる。
【００２１】
係止部３２は、シール本体部３１の後端部に設けられている。係止部３２は、図７に示すように、シール本体部３１のうち長手方向に延びる一対の長延部３１Ｌにそれぞれ３つずつ設けられ、そのうちの１つは長延部３１Ｌの中央に、２つは中央から等しい間隔をあけた両端寄りの位置に設けられている。なお、一対の長延部３１Ｌにおいて係止部３２の配置位置は等しくされている。
【００２２】
各係止部３２は、図２に示すように、全体としてシール本体部３１から斜め外後方に突出している。詳しくは、係止部３２は、シール本体部３１の後端部から斜め外後方に突出する突出部３４と、突出部３４の突出端に設けられたブロック状をなすブロック部３５と、ブロック部３５の外側に突設された外突部３６とを備えている。係止部３２は、突出部３４、ブロック部３５および外突部３６にわたる全体において幅寸法が一定とされている（図７参照）。
【００２３】
シール部材３０がハウジング１０に装着されると、図２に示すように、ブロック部３５および外突部３６はハウジング１０の係止孔部１６に嵌合し、外突部３６は内突部１８と前後方向に対向して配置される。そして、外突部３６の前面が、ハウジング１０の係止受け部１９に対して後方から係止する。なお、以下では、外突部３６の前面を係止面３７と称する。
【００２４】
係止面３７は、前後方向（シール部材３０の軸方向）に対して略垂直をなす方向に切り立った面とされている。外突部３６の後端側（係止面３７とは反対側）には、前後方向に対して傾斜した傾斜面が形成され、係止孔部１６への係止部３２の嵌合動作（外突部３６が内突部１８を乗り越える動作）を誘導するものとされている。
【００２５】
電線カバー５０は合成樹脂製であって、ハウジング１０の後面の略全体を一括して覆うとともに、図１に示すように、電線Ｗを側方へ導出させるための電線導出口５１を有している。電線カバー５０は前方に開口しており、その開口縁部には、複数の切欠凹部５２が形成されている（図４参照）。切欠凹部５２は、電線カバー５０の開口端から、平面視横長の長方形状をなして後方に凹んだ形態とされている。
【００２６】
切欠凹部５２は、電線カバー５０の上壁および下壁にそれぞれ３つずつ設けられ、そのうちの１つは電線カバー５０の幅方向の中央に、２つは中央から等しい間隔をあけた両端寄りの位置に設けられている。なお、切欠凹部５２の配置間隔は、シール部材３０の係止部３２の配置間隔およびハウジング１０の保護壁２４の配置位置に対応している。
【００２７】
電線カバー５０は、ハウジング１０の後面に設けられた保護壁２４に対して前方から係止する係止爪５３を有している。係止爪５３は、電線カバー５０の上面側と下面側とに一対ずつ設けられている。一対の係止爪５３は、切欠凹部５２のうち幅方向の両端に設けられたもの（以下、端切欠凹部５２Ｈと称する）の中央から前方に張り出して設けられた張出部５４の先端に突設されている。係止爪５３は、図２に示すように、張出部５４から内側に突出し、その後面は前後方向に対して略垂直をなす方向に切り立った面とされ、前面は保護壁２４に対する係止爪５３の乗り上げ動作を誘導する傾斜をなす面とされている。
【００２８】
また、電線カバー５０は、図３に示すように、保護壁２４に対して後方から突き当たるストッパ部５５を有している。ストッパ部５５は、電線カバー５０の上面側と下面側とに一ずつ設けられている。ストッパ部５５は、切欠凹部５２のうち幅方向の中央に設けられたもの（以下、中切欠凹部５２Ｔと称する）の後端縁とされている（図４参照）。ストッパ部５５は、電線カバー５０の開口端と略平行をなしている。
【００２９】
レバー４０は合成樹脂製であって、図１に示すように、相手側コネクタＹに設けられたカムピンＰが進入可能なカム溝４１が形成された一対のカム板部４２と、一対のカム板部４２を互いに連結する操作部４３とを備えて構成されている。
【００３０】
一対のカム板部４２は、ハウジング１０の上下両側面に沿って配され、その一部はカム板収容部２１に収容されている。各カム板部４２には、カム板収容部２１に設けられた軸部２２が嵌合可能な軸孔部４４が形成されている（図３参照）。軸孔部４４は、略円形断面をなしてカム板部４２を板厚方向（上下方向）に貫通している。カム板部４２（レバー４０）は、軸孔部４４に嵌合したハウジング１０の軸部２２を中心としてが回動可能とされている。なお、カム板部４２の外周面の大部分は円弧形状とされている（図１参照）。
【００３１】
レバー４０は、操作部４３を操作することにより、初期位置と嵌合位置との間を回動可能とされている。すなわち、レバー４０を初期位置にして相手側コネクタＹを嵌合させると、カム板部４２に形成されたカム溝４１に相手側コネクタＹのカムピンＰが進入し、レバー４０の回動操作に伴ってカムピンＰとカム溝４１が係合してカム作用が発揮され、レバー４０が嵌合位置に至ると、相手側コネクタＹと防水コネクタＣとが正規の嵌合状態に至る。このとき、操作部４３に設けられたロックが、ハウジング１０に設けられた被ロック部に係止し、レバー４０は、初期位置側への回動操作が規制された状態にロックされる。なお、レバー４０を嵌合位置から初期位置に回動することで相手側コネクタＹと防水コネクタＣとの離脱がなされる。
【００３２】
さて、ハウジング１０の後面には、シール部材３０に設けられた係止部３２の後方を覆うようにして立つ保護壁２４が複数設けられている。保護壁２４は、図６に示すように、すべての係止部３２に対応するべく、ハウジング１０の後面のうち上縁部と下縁部とにそれぞれ３つずつ設けられている。保護壁２４は、端子収容部１１の上側および下側のそれぞれにおいて、幅方向の中央に１つと両端寄りの位置に２つとが設けられている。
【００３３】
各保護壁２４は、係止孔部１６の後方を覆う後壁部２５と、側方を覆う一対の側壁部２６とを有している。各保護壁２４は、ハウジング１０の後面に立設された略門型をなし、後壁部２５の壁面は、ハウジング１０の後面と略平行に配され、後壁部２５および一対の側壁部２６は略直角をなして連結されている。
【００３４】
保護壁２４のうち幅方向の両端に位置するもの（以下、第１保護壁２４Ｆと称する）は、後壁部２５および一対の側壁部２６の高さ寸法が同等とされている（図６参照）。すなわち、上側に設けられた第１保護壁２４Ｆの上端面および下側に設けられた第１保護壁２４Ｆの下端面は、段差のない平坦な面とされている。
【００３５】
第１保護壁２４Ｆの高さ寸法は、図２に示すように、シール部材３０の係止部３２のうちブロック部３５の略全体を覆う寸法とされている。また、第１保護壁２４Ｆの後壁部２５は、電線カバー５０の係止爪５３と同等の幅寸法を有している（図４参照）。そして、電線カバー５０がハウジング１０に装着されると、電線カバー５０の係止爪５３が、それぞれ第１保護壁２４Ｆの一対の側壁部２６の間に嵌合するとともに、後壁部２５に対して前方から係止した状態になる。これにより、電線カバー５０は、ハウジング１０から後方へ離脱することなく装着状態に保持される。すなわち、第１保護壁２４Ｆは、電線カバー５０のロック機構を兼ねている。
【００３６】
保護壁２４のうち幅方向の中央に位置するもの（以下、第２保護壁２４Ｓと称する）は、第１保護壁２４Ｆよりも高さ寸法（上下方向の寸法）が大きくされている（図６参照）。第２保護壁２４Ｓの後壁部２５は、図３に示すように、係止部３２のうちブロック部３５の全体と外突部３６の半分程度を覆う寸法とされている。なお、第１保護壁２４Ｆの幅寸法と第２保護壁２４Ｓの幅寸法とは同等とされている。
【００３７】
そして、電線カバー５０がハウジング１０に装着されると、電線カバー５０のストッパ部５５が、それぞれ第２保護壁２４Ｓの後壁部２５に対して後方から突き当たった状態になる（図３参照）。これにより、電線カバー５０がハウジング１０に対して所定位置を越えて前方に押し込まれることが防がれる。すなわち第２保護壁２４Ｓは、電線カバー５０のストッパ機構を兼ねている。
【００３８】
こうして、電線カバー５０の係止爪５３が第１保護壁２４Ｆの前面に係止するとともに、ストッパ部５５が第２保護壁２４Ｓの後面に突き当たることにより、係止爪５３とストッパ部５５とがハウジング１０の後端部を前後方向に挟み込んだ状態になる。そして、電線カバー５０は、ハウジング１０に対して強固にロックされた状態になる。
【００３９】
また、第２保護壁２４Ｓは、図５に示すように、ハウジング１０の軸部２２の真後ろの位置に設けられている。第２保護壁２４Ｓのうち一対の側壁部２６は、後壁部２５よりも高さ寸法が大きくされ、上側に設けられた第２保護壁２４Ｓの上端面および下側に設けられた第２保護壁２４Ｓの下端面には、その高さ寸法の差によって凹部２７が形成されている（図６参照）。
【００４０】
そして、第２保護壁２４Ｓのうち一対の側壁部２６の上端面または下端面は、図３に示すように、ハウジング１０の後端部における上端面または下端面と同じ高さに位置して、それぞれレバー４０のカム板部４２の板面に近接して配置される。すなわち第２保護壁２４Ｓは、カム板部４２の内側に位置してカム板部４２の内倒れを防ぐ内倒れ防止機構を兼ねている。
【００４１】
次に、上記のように構成された実施例の作用および効果について説明する。
本実施例の防水コネクタＣは、前方から相手側コネクタＹが嵌合可能なコネクタ嵌合部１５が設けられたハウジング１０と、コネクタ嵌合部１５に装着されて同コネクタ嵌合部１５と相手側コネクタＹとの間をシールするシール部材３０と、を備え、シール部材３０には、ハウジング１０の係止受け部１９に対して後方から係止する係止部３２が設けられ、ハウジング１０には、係止部３２の後方を覆うようにして立つ保護壁２４が設けられている。この構成によれば、保護壁２４によって係止部３２が覆われるから、係止部３２に外部の異物が接触することを防ぐことができ、もって係止部３２を保護することができる。
【００４２】
また、ハウジング１０には、相手側コネクタＹとの嵌合・離脱動作を助勢するレバー４０が備えられ、レバー４０は、ハウジング１０の上側面および下側面（外側面）に沿って配されるカム板部４２を有し、第２保護壁２４Ｓは、カム板部４２の内側に位置してカム板部４２の内倒れを防ぐ内倒れ防止機構を兼ねている。この構成によれば、内倒れ防止機構を別途ハウジング１０に設けなくてもよいから、ハウジング１０の構造を簡素化することができる。
【００４３】
また、ハウジング１０には、ハウジング１０の後面から導出された電線Ｗを保護する電線カバー５０が備えられ、電線カバー５０は、第１保護壁２４Ｆに対して前方から係止する係止爪５３を有し、第１保護壁２４Ｆは、電線カバー５０のロック機構を兼ねている。この構成によれば、電線カバー５０のロック機構を別途ハウジング１０に設けなくてもよいから、ハウジング１０の構造を簡素化することができる。
【００４４】
また、電線カバー５０は、第２保護壁２４Ｓに対して後方から突き当たるストッパ部５５を有し、第２保護壁２４Ｓは、電線カバー５０のストッパ機構を兼ねている。この構成によれば、電線カバー５０のストッパ機構を別途ハウジング１０に設けなくてもよいから、ハウジング１０の構造を簡素化することができる。
【００４５】
＜他の実施例＞
本発明は上記記述及び図面によって説明した実施例に限定されるものではなく、例えば次のような実施例も本発明の技術的範囲に含まれる。
（１）上記実施例では、防水コネクタＣは、レバー式コネクタとされているが、本発明は、レバー無しのコネクタにも適用することができる。
（２）上記実施例では、防水コネクタＣには、電線カバー５０が取り付けられるものとされているが、本発明は、電線カバーが取り付けられないコネクタにも適用することができる。
（３）上記実施例では、端子収容部１１の外周面にシール部材３０が装着され、この端子収容部１１の外周面と相手側コネクタＹの内周面との間でシール部材３０が挟み付けられるものとされているが、これに限らず、例えば外筒部の内周面にシール部材が装着され、この外筒部の内周面と相手側コネクタの外周面との間でシール部材が挟み付けられるものとしてもよい。
（４）上記実施例では、係止部３２は、突出部３４とブロック部３５と外突部３６とを備えた構成とされているが、これに限らず、係止部はハウジングの係止受け部に対して後方から係止可能であればどのような構成であってもよく、例えば、係止部は、コネクタ嵌合部の後壁を前後方向に貫通する貫通軸部と、貫通軸部から全方位に張り出してコネクタ嵌合部の後壁の後面（係止受け部）に後方から係止する頭部とを有するものであってもよい。
（５）上記実施例では、保護壁２４は、後壁部２５と一対の側壁部２６とを備えているが、これに限らず、保護壁は、後壁部のみを有するものとしてもよい。
（６）上記実施例では、第２保護壁２４Ｓのみが内倒れ機構を兼ねるものとしているが、これに限らず、レバーの形状によっては、他の保護壁が内倒れ機構を兼ねるものとしてもよい。
（７）上記実施例では、第２保護壁２４Ｓの一対の側壁部２６がカム板部４２の板面に近接して配されるものとしているが、これに限らず、例えば後壁部がカム板部の板面に近接して配されるものとしてもよい。
（８）上記実施例では、電線カバー５０の係止爪５３が第１保護壁２４Ｆに係止するものとしているが、これに限らず、いずれの保護壁に係止するものとしてもよく、すなわち第２保護壁２４Ｓのみに係止するものとしてもよく、または一対の第１保護壁２４Ｆのうちいずれか一方のみに係止するものとしてもよく、もしくはすべての保護壁に係止するものとしてもよい。
（９）上記実施例では、電線カバー５０のストッパ部５５が第２保護壁２４Ｓに突き当たるものとしているが、これに限らず、いずれの保護壁に突き当たるものとしてもよく、すなわち第１保護壁２４Ｆのみに突き当たるものとしてもよく、または一対の第１保護壁２４Ｆのうちいずれか一方のみに突き当たるものとしてもよく、もしくはすべての保護壁に突き当たるものとしてもよい。
【符号の説明】
【００４６】
Ｃ…防水コネクタ
Ｗ…電線
Ｙ…相手側コネクタ
１０…ハウジング
１５…コネクタ嵌合部
１９…係止受け部
２４…保護壁
３０…シール部材
３２…係止部
４０…レバー
４２…カム板部
５０…電線カバー
５３…係止爪
５５…ストッパ部
【図１】
2015187957.tif 000003
【図２】
2015187957.tif 000004
【図３】
2015187957.tif 000005
【図４】
2015187957.tif 000006
【図５】
2015187957.tif 000007
【図６】
2015187957.tif 000008
【図７】
2015187957.tif 000009
【図８】
2015187957.tif 000010